(57)【特許請求の範囲】
【請求項１】
ウエスト開口部及び一対のレッグ開口部を有するパンツ型着用物品であって、
腹側部又は背側部の両側部に弾性伸縮部を有し、
前記弾性伸縮部は、２枚のシート材と、２枚のシート材間に配された複数本の弾性部材とを有し、該各弾性部材は、着用物品の幅方向に沿って配されており、
前記２枚のシート材は、前記弾性部材の配向方向及びその直交方向の両方向に対して傾斜した複数本の接合線において互いに接合されており、
前記弾性伸縮部は、前記弾性部材の配向方向に伸長した状態から収縮させたときに、着用物品の長手方向中央線寄りの内側端部と、着用物品の側縁部寄りの外側端部とで、着用物品の長手方向の位置がずれるようになされており、
前記各接合線は、股下部側の端部よりウエスト開口部側の端部が着用物品の長手方向中央線の近くに位置するように、傾斜しており、
前記接合線は、該接合線が延びる方向に間欠的に配置された複数の接合部からなり、複数本の前記弾性部材が、該接合部と重ならないように配されており、
前記接合線を構成する複数の前記接合部は、前記弾性部材と直交する方向に延びる仮想線を引いたときに、該仮想線が交差する接合線において必ず該接合線を構成する接合部を通るように配されている、パンツ型着用物品。
【請求項２】
前記弾性伸縮部を腹側部及び背側部それぞれの両側部に有し、腹側部及び背側部のうちの一方の弾性伸縮部における前記接合線は、ウエスト開口部側の端部より股下部側の端部が着用物品の長手方向中央線の近くに位置するように傾斜し、腹側部及び背側部のうちの他方の弾性伸縮部における前記傾斜線が、股下部側の端部よりウエスト開口部側の端部が着用物品の長手方向中央線の近くに位置するように傾斜している、請求項１に記載のパンツ型着用物品。
【請求項３】
ウエスト開口部及び一対のレッグ開口部を有するパンツ型着用物品であって、
腹側部又は背側部の両側部に弾性伸縮部を有し、
前記弾性伸縮部は、２枚のシート材と、２枚のシート材間に配された複数本の弾性部材とを有し、該各弾性部材は、着用物品の幅方向に沿って配されており、
前記２枚のシート材は、前記弾性部材の配向方向及びその直交方向の両方向に対して傾斜した複数本の接合線において互いに接合されており、
前記弾性伸縮部は、前記弾性部材の配向方向に伸長した状態から収縮させたときに、着用物品の長手方向中央線寄りの内側端部と、着用物品の側縁部寄りの外側端部とで、着用物品の長手方向の位置がずれるようになされており、
前記各接合線は、ウエスト開口部側の端部より股下部側の端部が着用物品の長手方向中央線の近くに位置するように、傾斜しており、
前記接合線は、該接合線が延びる方向に間欠的に配置された複数の接合部からなり、複数本の前記弾性部材が、該接合部と重ならないように配されており、
前記接合線を構成する複数の前記接合部は、前記弾性部材と直交する方向に延びる仮想線を引いたときに、該仮想線が交差する接合線において必ず該接合線を構成する接合部を通るように配されている、パンツ型着用物品。
【請求項４】
前記弾性伸縮部における前記弾性部材が、パンツ型着用物品を着用したときに着用者の腸骨稜から上前腸骨棘にかけての部位に当接する第１領域並びに第１領域より上方に位置する第２領域及び第１領域より下方に位置する第３領域に配されており、第１領域の弾性部材により生じる圧力が、第２領域に配された弾性部材により生じる圧力及び第３領域に配された弾性部材により生じる圧力の何れよりも大きい、請求項１〜３の何れか１項に記載のパンツ型着用物品。
【請求項５】
一対の前記レッグ開口部それぞれの周囲に、腹側部寄りに形成された第１レッグ弾性伸縮部と、背側部寄りに形成された第２レッグ弾性伸縮部とを有しており、
第１及び第２レッグ弾性伸縮部それぞれは、２枚のシート材と、２枚のシート材間に配された複数本のレッグ弾性部材とを有し、該各レッグ弾性部材は、着用物品の幅方向に沿って配されており、
該記２枚のシート材は、前記レッグ弾性部材の配向方向及びその直交方向の両方向に対して傾斜した複数本のレッグ接合線において互いに接合されており、
第１レッグ弾性伸縮部の前記レッグ接合線は、腹側部に近づくに従って着用物品の長手方向中央線から離れるように傾斜し、第２レッグ弾性伸縮部の前記レッグ接合線は、背側部に近づく従って前記長手方向中央線から離れるように傾斜している、請求項１〜４の何れか１項に記載のパンツ型着用物品。
【請求項６】
液透過性の表面シート、吸収体及び長手方向両側部に形成された立体防漏カフスを有する吸収性本体を備えたパンツ型吸収性物品である、請求項１〜５の何れか１項に記載のパンツ型着用物品。
【発明の詳細な説明】
【技術分野】
【０００１】
本発明は、パンツ型着用物品に関する。
【背景技術】
【０００２】
従来、吸収体を含む吸収性本体と該吸収性本体の非肌当接面側に位置して該吸収性本体を固定している外包材とを備えたパンツ型使い捨ておむつにおいて、着用者に対するおむつのフィット性を向上させること等を目的に、胴回りにギャザーを設けたものが知られている。
また、胴回りギャザー形成用の弾性部材を、腹側部の両側縁部よりも腹側部の中央部において股下部側に位置するように湾曲させて配することが知られている（特許文献１参照）。
また、横方向よりも縦方向へ弾性伸縮容易なシート材料に、複数本の弾性部材を、前記横方向に延びるように接合させ、縦横両方向に伸縮性を持たせた弾性伸縮性のシートが知られている（特許文献２参照）。
また、出願人は、２枚のシート材と、これら両シート材間に配された複数本の弾性部材とからなる伸縮部を有する複合伸縮部材であり、２枚のシート材が該伸縮部の伸縮方向及びそれに直交する方向において間欠的に互いに接合され、前記弾性部材が、両シート材同士の接合部を通らないように伸縮部に配されており且つその両端部において両シート材に固定されており、両シート材のそれぞれが、各々複数本の弾性部材に亘って連続して延びる複数本の襞を形成しているものを提案した（特許文献３参照）。
【０００３】
【特許文献１】特開２００１−２５８９３１号公報
【特許文献２】特開２００１−１１７６９号公報
【特許文献３】特開２００５−０８０８５９号公報
【発明の開示】
【発明が解決しようとする課題】
【０００４】
しかし、特許文献１記載の使い捨ておむつは、胴回りギャザーを揺動させながら導入する必要がある。
また、特許文献２記載の弾性伸縮性のシートは、弾性部材の配向方向及びその直交方向に伸縮性を発現するが、その弾性部材をその配向方向に伸ばした状態から収縮させても、該シートに弾性部材の配向方向とは異なる方向の変形を生じさせることはできない。特許文献３の複合伸縮部材においては、弾性部材の配向方向に伸ばした状態から収縮させたときに、シート材が襞を形成するが、収縮により、複合伸縮部材に、弾性部材の配向方向とは異なる方向の変形を生じさせることを意図したものではない。
【０００５】
従って、本発明の目的は、腹側部及び背側部の両側部の弾性伸縮部が、弾性部材の配向方向と異なる方向に変形して、股間部のフィット性あるいは装着時の外観が向上し、また、弾性部材の揺動配置装置等を使用する必要がなく、製造設備の簡易化を図ることのできるパンツ型着用物品を提供することにある。
【課題を解決するための手段】
【０００６】
本発明は、ウエスト開口部及び一対のレッグ開口部を有するパンツ型着用物品であって、
腹側部及び背側部それぞれの両側部に弾性伸縮部を有し、前記弾性伸縮部は、２枚のシート材と、２枚のシート材間に配された複数本の弾性部材とを有し、該各弾性部材は、着用物品の幅方向に沿って配されており、前記２枚のシート材は、前記弾性部材の配向方向及びその直交方向の両方向に対して傾斜した複数本の傾斜接合線において互いに接合されているパンツ型着用物品を提供することにより前記目的を達成したものである。
【発明の効果】
【０００７】
本発明のパンツ型着用物品によれば、腹側部及び背側部の両側部の弾性伸縮部が、弾性部材の配向方向と異なる方向に変形して、股間部のフィット性あるいは装着時の外観が向上する。また、弾性部材の揺動配置装置等を使用する必要がなく、製造設備の簡易化を図ることもできる。
【発明を実施するための最良の形態】
【０００８】
以下、本発明のパンツ型着用物品を、その好ましい実施形態に基づき図面を参照しながら説明する。
本発明の第１実施形態であるパンツ型使い捨ておむつ１（以下、おむつ１ともいう）は、図１に示すように、ウエスト開口部７及び一対のレッグ開口部８，８を有するパンツ型の使い捨ておむつである。
おむつ１は、図１及び図２に示すように、着用者の腹側に配される腹側部Ａと、着用者の背側に配される背側部Ｂと、腹側部Ａと腹側部Ｂとの間に位置する股下部Ｃを有している。おむつ（吸収性物品）１の長手方向は、腹側部Ａから股下部Ｃを経て背側部Ｂに亘る方向又はその逆方向（図中Ｘ方向）である。
【０００９】
おむつ１は、腹側部Ａに、腹側外装体１０Ａを有し、背側部Ｂに、背側外装体１０Ｂを有している。また、図３に示すように、液透過性の表面シート２、液不透過性又は撥水性の防漏シート３及び両シート２、３間に介在配置された液保持性の吸収体４を有する縦長の吸収性本体６を有している。吸収性本体６は、防漏シート３、吸収体４及び表面シート２が積層されて一体化されてなり、縦長矩形状を有している。吸収性本体６は、図２に示すように、その長手方向の両端部における非肌当接面側（防漏シート３側）が、腹側外装体１０Ａと背側股下部１０Ｂに、ホットメルト接着剤等の公知の接合手段により接合されている。
【００１０】
また、吸収性本体６の長手方向両側部には、図３に示すように、液抵抗性又は撥水性で且つ通気性の素材から構成された立体防漏カフス５,５が設けられている。各立体防漏カフス５の自由端部近傍には、防漏カフス弾性部材５１が伸長状態で配されている。立体防漏カフス５は、おむつの着用時に自由端部側が起立し、吸収性本体６の幅方向への液の流出を阻止する。立体防漏カフス５の形成用の防漏カフス形成シート５２は、吸収性本体６の幅方向外側の所定幅の部分が、吸収体４の肌当接面側に巻き下げられ、吸収体４と防漏シート３との間に固定されている。表面シート２、防漏シート３、吸収体４及び防漏カフス形成シート５２としては、それぞれ、従来からこの種のおむつに用いられているものと同様のものを用いることができる。例えば、吸収体４としては、吸収性ポリマーの粒子及び繊維材料（パルプ繊維等）からなる吸収性コアが、ティッシュペーパ等の透水性被覆シート（図示せず）で被覆されているもの等を用いることができる。
【００１１】
腹側外装体１０Ａ及び背側外装体１０Ｂそれぞれは、図４に示すように、おむつ１の外表面を形成する横長矩形状の外層シート１１と、その内面側に配され、該外層シート１１と略同形状をなす内層シート１２と、これら両シート１１，１２間に配された複数本の弾性部材１３とを有してなる。
【００１２】
おむつ１は、腹側部Ａの両側部に一対の弾性伸縮部Ｇ１，Ｇ２を有し、背側部Ｂの両側部に一対の弾性伸縮部Ｇ３，Ｇ４を有している。
弾性伸縮部Ｇ１、Ｇ２は、図２に示すように、腹側外装体１０Ａの各一部を構成している。弾性伸縮部Ｇ１は、図２及び図４に示すように、外層シート１１及び内層シート１２、並びにこれらの２枚のシート材１１，１２間に配された複数本の弾性部材１３を有し、該各弾性部材１３は、おむつ（着用物品）１の幅方向（図中Ｙ方向）に沿って配されている。
【００１３】
弾性伸縮部Ｇ１においては、外層シート１１と内層シート１２との間が、弾性部材１３の配向方向（図中Ｙ方向）及びその直交方向（図中Ｘ方向）の両方向に対して傾斜した複数本の接合線Ｌ１〜Ｌ１３において互いに接合されている（図２参照）。両方向に対して傾斜とは、接合線が延びている方向が、弾性部材１３の配向方向（弾性部材１３が延びている方向）及びその直交方向の何れにも平行でないことを意味する。
【００１４】
弾性伸縮部Ｇ１における接合線Ｌ１〜Ｌ１３は、図２に示すように、股下部Ｃ側の端部１４よりウエスト開口部側の端部１５が、おむつ（着用物品）の長手方向中央線ＣＬの近くに位置するように傾斜している。また、接合線Ｌ１〜Ｌ１３は、互いに平行である。
接合線Ｌ１〜Ｌ１３のおむつ長手方向中央線ＣＬに対する傾斜角度θ１（図２参照）は、１５°〜７５°であることが好ましく、２０°〜６０°であることがより好ましい。
【００１５】
また、Ｙ方向において隣接する接合線１６，１６間の間隔〔図４（ａ）参照〕は、１〜４０ｍｍであることが好ましく、２〜２０ｍｍであることがより好ましい。また、Ｘ方向において隣接する弾性部材１３，１３間の間隔は、１〜２０ｍｍであることが好ましく、２〜１０ｍｍであることがより好ましい。
【００１６】
本実施形態における接合線Ｌ１〜Ｌ１３は、図２に示すように、各接合線が延びる方向に間欠的に配置された複数の接合部１６，１６・・からなり、複数本の弾性部材１３は、該接合部１６，１６・と重ならないように配されている。各接合線Ｌ１〜Ｌ１３を構成する接合部１６は、複数本の弾性部材１３それぞれの両側に位置している。弾性伸縮部Ｇ１のＹ方向の両端部に位置する内側固定部１７及び外側固定部１８それぞれにおいては、外層シート１１と内層シート１２との間が、両者間に弾性部材１３を挟んだ状態で、Ｘ方向に連続して接合されている。他方、弾性伸縮部Ｇ１における、内側固定部１７と外側固定部１８との間においては、弾性部材１３は、外層シート１１及び内層シート１２の何れにも固定されていない。
【００１７】
接合部１６における２枚のシート１１，１２間は、熱融着により接合されていることが好ましいが、ホットメルト型の接着剤等の接着剤等によって接合されていても良い。内側固定部１７及び外側固定部１８それぞれにおけるシート１１，１２間の接合は、熱融着により接合されていても良いし、接着剤により接合されていても良いし、その併用によって接合されていても良い。
【００１８】
腹側外装体１０Ａと背側外装体１０Ｂとは、弾性伸縮部Ｇ１，Ｇ２それぞれの外側固定部１８と弾性伸縮部Ｇ３，Ｇ４それぞれの外側固定部１８とが接合されており、この接合によって、おむつ１に、サイドシール部Ｓ，Ｓ、ウエスト開口部７及び一対のレッグ開口部８，８が形成されている。
【００１９】
本おむつ１は、おむつ（着用物品）の長手方向中央線ＣＬに対して左右対称に形成されており、弾性伸縮部Ｇ２は、該中央線ＣＬに対して線対称である以外は、弾性伸縮部Ｇ１と同様の構成を有し、また、弾性伸縮部Ｇ４は、該中央線ＣＬに対して線対称である以外は、弾性伸縮部Ｇ３と同様の構成を有している。
また、背側部Ｂの両側部に設けられた一対の弾性伸縮部Ｇ３，Ｇ４は、接合線Ｌ１〜Ｌ１３に対応する接合線が図２に示す向きに傾斜している以外は、腹側部Ａの両側部に設けられた一対の弾性伸縮部Ｇ１，Ｇ２と同様の構成を有している。尚、一対の弾性伸縮部Ｇ３，Ｇ４も、外層シート１１、内層シート１２、弾性部材１３、内側固定部１７及び外側固定部１８を有し、各弾性伸縮部Ｇ３，Ｇ４における接合線も、股下部Ｃ側の端部１４よりウエスト開口部側の端部１５が、おむつ（着用物品）の長手方向中央線ＣＬの近くに位置するように傾斜している。
【００２０】
弾性伸縮部Ｇ１においては、接合線Ｌ１〜Ｌ１３が、弾性部材１３の配向方向及びその直交方向の両方向に対して傾斜した状態に形成されているため、図５（ａ）に示すように、弾性伸縮部Ｇ１を、弾性部材１３の配向方向に伸長させた状態から収縮させると、図５（ｂ）に示すように、弾性伸縮部Ｇ１が収縮すると同時に、内側固定部１７と外側固定部１８の位置が、おむつ１の長手方向にずれる。他の弾性伸縮部Ｇ２〜Ｇ４についても同様である。
弾性伸縮部Ｇ１〜Ｇ４それぞれにおいて、内側固定部１７は、おむつ（着用物品）の長手方向中央線ＣＬ寄りの内側端部を構成し、外側固定部１８が、おむつ（着用物品）の側縁部寄りの外側端部を構成している。
尚、図１及び図２には、弾性伸縮部Ｇ１〜Ｇ４が、それぞれ、弾性部材１３の配向方向（Ｙ方向に同じ）に伸長した状態（弾性部材１３の収縮力を発現しない状態）が示されている。
【００２１】
第１実施形態のおむつ１においては、弾性伸縮部Ｇ１〜Ｇ４のそれぞれに、接合線Ｌ１〜Ｌ１３又はそれに対応する接合線が、股下部Ｃ側の端部１４よりウエスト開口部７側の端部１５が着用物品の長手方向中央線ＣＬの近くに位置するように傾斜させて形成されているため、使用前の収縮状態においては、弾性伸縮部Ｇ１〜Ｇ４が、内側固定部１７と外側固定部１８との間にずれが生じるように収縮し、弾性伸縮部Ｇ１〜Ｇ４が弾性部材１３と平行に収縮した場合とは、趣きを異にした外観となる。
【００２２】
また、おむつ１の着用中にも、弾性伸縮部Ｇ１〜Ｇ４が、内側固定部１７と外側固定部１８との間にずれが生じるように収縮し、腹側部Ａ及び背側部Ｂそれぞれの幅方向中央部に、それぞれを、それぞれの幅方向両端部の高さ位置よりも上方に持ち上げようとする力が加わるため、着用者の腹部や背中を広く被覆するような外観となる。
また、腹側部Ａ及び背側部Ｂそれぞれの幅方向中央部を、それぞれの幅方向両端部の高さ位置より上方に持ち上げようとする力が働き、同時に股下部Ｃが上方に引っ張り上げられる。そのため、股下部Ｃが、着用者の股間に良好にフィットし、優れたフィット感や優れた漏れ防止性能等が得られる。
【００２３】
また、傾斜した接合線により、各弾性伸縮部Ｇ１〜Ｇ４に、弾性部材１３の配向方向とは異なる方向の変形を生じさせているため、おむつ１の製造時に、弾性部材１３を揺動させながら導入する揺動配置装置等を使用する必要がない。そのため、簡易な製造設備で効率良く製造することができる。
【００２４】
弾性伸縮部Ｇ１が収縮した状態においては、図４（ｂ）に示すように、外層シート１１及び内層シート１２が、隣接する接合線間において互いに離間する方向に膨出し、それぞれが襞１９，１９を形成する。
【００２５】
本実施形態のおむつ１においては、腹側外装体１０Ａ及び背側外装体１０Ｂそれぞれにおける幅方向中央部の、吸収体４の長手方向の両端部それぞれより外方に位置する部分に、ウエスト伸縮部Ｇ７，Ｇ８を有している。ウエスト伸縮部Ｇ７，Ｇ８においては、外層シート１１と内層シート１２とが、伸長状態の弾性部材１３を挟んだ状態で、Ｘ方向及びＹ方向に分散配置された接合部１６ａによって接合されている。弾性部材１３は、接合部１６ａと重ならないように配されている。これらの接合部１６ａは、長手方向中央線ＣＬと平行に配されている。
【００２６】
おむつ１においては、腹側外装体１０Ａにおける一対の内側固定部１７，１７間及び背側外装体１０Ｂにおける一対の内側固定部１７，１７間は、それぞれに配された弾性部材１３Ａが、非機能化されて、実質的に弾性伸縮性を発現しないようになされている。より具体的には、おむつ１をいわゆる横流れ方式で製造する際に、外層シート１１の原反と内層シート１２の原反との間に長尺状の弾性部材を伸長状態で連続的に導入した後、外層シート１１の原反と内層シート１２の原反を、その弾性部材を挟んだ状態で接合して一対の内側固定部１７，１７を形成し、同時又はその後に、周面に多数の切断用凸部を有する加圧ロールの該切断用凸部で加圧及び加熱することにより、一対の内側固定部１７，１７間に位置する弾性部材を、それぞれ切断して伸長状態を解除してある。
吸収性本体６，特に吸収体４と重なる部分の弾性部材を非機能化することにより、吸収性本体６の両端部に、股下部Ｃを上方に持ち上げる力が伝わりやすくなり、股間部のフィット性や漏れ防止性能が一層向上する。
一対の内側固定部１７，１７を形成する部分の外層シート１１の原反又は内層シート１２の原反の相対向する面の一方又は双方にはホットメルト型の接着剤を塗工しておき、該接着剤を介してシート１１，１２間を接合することが好ましい。また、一対の内側固定部１７，１７間にも、ホットメルト型の接着剤を塗工しておき、固定されている弾性部材を複数個所で切断するようにしても良い。
【００２７】
第１実施形態のおむつ１は、図２に示すように、弾性伸縮部Ｇ１〜Ｇ４それぞれにおける弾性部材１３が、パンツ型着用物品を着用したときに着用者の腸骨稜から上前腸骨棘にかけての部位Ｒ１に当接する第１領域Ｆ１並びに第１領域Ｆ１より上方に位置する第２領域Ｆ２及び第１領域Ｆ１より下方に位置する第３領域Ｆ３に配されており、第１領域に配された弾性部材により生じる圧力が、第２領域に配された弾性部材により生じる圧力及び第３領域に配された弾性部材により生じる圧力の何れよりも大きくなっている。
第１領域Ｆ１〜第３領域Ｆ３に配された弾性部材により生じる圧力は、弾性部材の収縮力により各領域に生じる肌方向への圧力である。
【００２８】
第１領域Ｆ１とは、図１０に示すように、おむつを着用したときに着用者の腸骨稜９ａから上前腸骨棘９ｂにかけての部位Ｒ１に当接する領域である。
【００２９】
第１領域Ｆ１の圧力を、第２領域Ｆ２及び第３領域Ｆ３それぞれの圧力よりも大きくすることで、パンツ型着用物品の着用中のずれ落ちを効果的に防止することができる。第２領域Ｆ２の圧力を小さくする理由は、着用者、特に幼児は、その身体的な特徴として腹まわりが張り出しているので、当該張り出している腹まわりに当接する第２領域Ｆ２の締め付け圧を高くすると、その締め付け圧が高い故に第２領域Ｆ２が次第に絞り込まれて、腹まわりが細くなる部位にまで第２領域Ｆ２がずれ下がってくるからである。第３領域Ｆ３を小さくする理由は、第１領域Ｆ１における効果的な圧力でずれ落ちを防止するので、着用者に過度の締め付け力を与えないためである。
【００３０】
第１領域Ｆ１〜第３領域Ｆ３に配された弾性部材により生じる圧力は、おむつの大きさに応じて、そのおむつが対象としている着用者の胴回りの周長に近い周長の円筒を選択して測定する。
例えば、ウエスト開口部の伸長状態の周長が６５０〜７３０ｍｍのものの場合は、周長が５００ｍｍの円筒を用いる。また、このサイズのおむつの場合の第１領域Ｆ１は、腹側部Ａ及び背側部Ｂそれぞれについて、おむつの長手方向の全長を２等分する幅方向中央線ＷＬ（図２参照）からの距離Ｋ１，Ｋ２が、１９０〜２４０ｍｍの範囲とする。
また、ウエスト開口部の伸長状態の周長が５５０〜６５０ｍｍのものの場合は、周長が４６０ｍｍの円筒を用いる。また、このサイズのおむつの場合の第１領域Ｆ１は、腹側部Ａ及び背側部Ｂそれぞれについて、おむつの長手方向の全長を２等分する幅方向中央線ＷＬ（図２参照）からの距離Ｋ１，Ｋ２が、１８０〜２３０ｍｍの範囲とする。
また、ウエスト開口部の伸長状態の周長が７３０〜８００ｍｍのものの場合は、周長が５３０ｍｍの円筒を用いる。また、このサイズのおむつの場合の第１領域Ｆ１は、腹側部Ａ及び背側部Ｂそれぞれについて、おむつの長手方向の全長を２等分する幅方向中央線ＷＬ（図２参照）からの距離Ｋ１，Ｋ２が、２００〜２５０ｍｍの範囲とする。
【００３１】
以下には、上述した周長５００ｍｍの円筒を用いるサイズのおむつの場合を説明するが、他のサイズの場合も周長が異なる円筒を用いる以外は同様である。
（１）周長が５００ｍｍの円筒におむつ１を装着し、装着圧力装置（（株）エイエムアイ・テクノ製の接触圧測定器（ＡＭＩ３０３７−２））のφ＝１５ｍｍエアパックをウエスト開口部の先端部にエアパックの中心が位置するようにセットする。
（２）装着圧（Ｐ１）を測定する。
（３）続いておむつ１の長さ方向（図２、Ｘ方向）に５ｍｍエアパックの中心を移動させ装着圧（Ｐ２）を測定する。
（４）動揺に５ｍｍ間隔で測定を行い、Ｐ３，Ｐ４，Ｐ５，・・・Ｐｎを得る。
（５）Ｐ１ないしＰｎの測定は弾性伸縮部材のウエスト開口部からレッグ開口部までの左右両側部どうしが互いに接合されている範囲にわたって行う。Ｐ１ないしＰｎは腹側部において、左右２点ずつ計４点行う。同様に背側においても、計４点測定を行い、平均値を背側の装着圧とする。
（６）おむつ長さ方向（図２、Ｘ方向）の第１領域Ｆ１における上記測定範囲を第１領域Ｆ１の圧力とする。同様に第２領域、第３領域が求められる。
【００３２】
第１領域Ｆ１に配された弾性部材１３により生じる圧力は、１．１〜２．５ｋＰａが好ましく、第２領域Ｆ２に配された弾性部材１３により生じる圧力は、０．３〜１．５ｋＰａが好ましく、第３領域Ｆ３に配された弾性部材により生じる圧力は、０．２〜０．８ｋＰａが好ましい。
【００３３】
おむつ１における弾性伸縮部Ｇ１〜Ｇ４においては、図１１に示すように、接合線Ｌを構成する複数の接合部１６，１６・・は、弾性部材１３と直交する方向に延びる仮想線ＩＬを引いたときに、該仮想線ＩＬが交差する接合線において必ず該接合線Ｌを構成する接合部１６，１６を通るように配されている。これにより、隣接する接合線間の襞の形成性が向上する。
【００３４】
本発明の第２実施形態のパンツ型使い捨ておむつ１Ａ（以下、おむつ１Ａともいう）について、図６及び図７を参照して説明する。第２実施形態のおむつ１Ａについては、主として、第１実施形態のおむつ１と異なる点について説明し、同様の点は、同一の符号を付して説明を省略する。特に説明しない点については、上述したおむつ１についての説明が適宜適用される。
【００３５】
おむつ１Ａにおいては、弾性伸縮部Ｇ１における接合線Ｌ１〜Ｌ１３は、図７に示すように、ウエスト開口部側の端部１５より股下部Ｃ側の端部１４が、おむつ（着用物品）の長手方向中央線ＣＬの近くに位置するように傾斜している。他の弾性伸縮部Ｇ２〜Ｇ４に形成された接合線の傾斜についても同様である。
弾性伸縮部Ｇ１における接合線Ｌ１〜Ｌ１３及び他の弾性伸縮部Ｇ２の対応する接合線のおむつ長手方向中央線ＣＬに対する傾斜角度θ２（図７参照）は、１５°〜７５°であることが好ましく、２０°〜６０°であることがより好ましい。
【００３６】
第２実施形態のおむつ１Ａにおいては、弾性伸縮部Ｇ１〜Ｇ４のそれぞれに、接合線Ｌ１〜Ｌ１３又はそれに対応する接合線が、ウエスト開口部７側の端部１５が股下部Ｃ側の端部１４より着用物品の長手方向中央線ＣＬの近くに位置するように傾斜して形成されているため、おむつ１Ａを、腹側外装体１０Ａ及び背側外装体１０Ｂを胴回り方向に伸長させて着用する時に、弾性伸縮部Ｇ１〜Ｇ４が収縮すると、弾性伸縮部Ｇ１〜Ｇ４が、内側固定部１７と外側固定部１８との間にずれが生じるように収縮することによって、腹側部Ａ及び背側部Ｂそれぞれの幅方向の両端部を、それぞれの幅方向中央部の高さ位置より上方に移動させようとする変形が生じる。着用の最中のこの変形は、レッグ開口部を股間部に当てた後、おむつ１Ａの両側部が腰まわりにフィットする一連の手順の中で、通常の腰まわり位置よりも高い位置におむつ１Ａの両側部を装着することができる。これにより、図１０の腸骨稜９ａから上前腸骨棘９ｂにかけての部位Ｒ１に、おむつ１Ａの両側部を効果的にあてがうことができ、かつ、おむつ１Ａの幅方向中央部はこの位置よりも低く装着することができるので、腹まわりの張り出しによるずれ落ちを防止することができる。そのため、おむつの両側部を深めに穿きたいことが好みの着用者や介護者にとっては、優れた装着感や装着後の外観性が得られる。
【００３７】
本発明の第３実施形態のパンツ型使い捨ておむつ１Ｂ（以下、おむつ１Ｂともいう）について、図８を参照して説明する。第３実施形態のおむつ１Ｂについては、主として、第１実施形態のおむつ１と異なる点について説明し、同様の点は、同一の符号を付して説明を省略する。特に説明しない点については、上述したおむつ１又は１Ａについての説明が適宜適用される。
【００３８】
おむつ１Ｂにおいては、腹側部Ａの両側部に設けられた弾性伸縮部Ｇ１、Ｇ２の接合線Ｌ１〜Ｌ１４が、図８に示すように、ウエスト開口部側の端部１５より股下部Ｃ側の端部１４がおむつ１Ｂ（着用物品）の長手方向中央線ＣＬの近くに位置するように傾斜している。他方、背側部Ｂの両側部に設けられた弾性伸縮部Ｇ３、Ｇ４における接合線は、股下部Ｃ側の端部１４よりウエスト開口部側の端部１５が、おむつ１Ｂ（着用物品）の長手方向中央線ＣＬの近くに位置するように傾斜している。腹側部Ａ側の弾性伸縮部Ｇ１，Ｇ２における接合線の傾斜角度θ２（図８参照）は、１５°〜７５°、特に２０°〜６０°であることが好ましく、背側部Ｂ側の弾性伸縮部Ｇ３，Ｇ４における接合線の傾斜角度θ１（図７８参照）は、１５°〜７５°、特に２０°〜６０°であることが好ましい。
【００３９】
第３実施形態のおむつ１Ｂにおいては、弾性伸縮部Ｇ１〜Ｇ４に形成された各接合線が、上述したように傾斜しているため、おむつ１Ｂを、腹側外装体１０Ａ及び背側外装体１０Ｂを胴回り方向に伸長させて着用した後、弾性伸縮部Ｇ１〜Ｇ４が収縮すると、弾性伸縮部Ｇ１〜Ｇ４が、内側固定部１７と外側固定部１８との間にずれが生じるように収縮することによって、腹側部Ａの幅方向中央部を下方に、背側部Ｂの幅方向中央部を上方に移動させようとする変形が生じる。これにより、おむつ１Ｂの両側部の装着位置は変わらずに、吸収性本体６を背側寄りに装着することができる。そのため、ベビーベットやチャイルドシート、あるいはおねしょ用など、背側へのモレを気にする状況で使用する場合には、優れたモレ性能や装着時の安心感が得られる。
【００４０】
おむつ１Ｂにおける弾性伸縮部Ｇ１〜Ｇ４は、腹側部Ａから背側部Ｂに亘って連続する一本の腹背連続外装体１０Ｃの各一部を構成している。おむつ１Ｂにおいては、弾性伸縮部Ｇ１及び弾性伸縮部Ｇ３が、おむつの側部において連続しており、弾性伸縮部Ｇ２及び弾性伸縮部Ｇ４も、おむつのもう一方の側部において連続している。弾性伸縮部Ｇ１と弾性伸縮部Ｇ３が連続した構成の腹背弾性伸縮部、及び弾性伸縮部Ｇ２と弾性伸縮部Ｇ４とが連続した構成の腹背弾性伸縮部は、それぞれの伸縮方向（弾性部材１３が延びる方向に同じ）の一端部に腹側固定部１７Ａ、他端部に背側固定部１７Ｂを有している。腹背連続外装体１０Ｃの長手方向の両端２０．２０は、背側部Ｂにおける吸収性本体６の両側縁の近傍に位置している。また、腹側固定部１７Ａと背側固定部１７Ｂとの間における弾性部材１６は、腹背連続外装体１０Ｃを構成する２枚のシート（外層及び内層シート）の何れにも固定されていない。
【００４１】
本発明の第４実施形態のパンツ型使い捨ておむつ１Ｃ（以下、おむつ１Ｃともいう）について、図９を参照して説明する。第４実施形態のおむつ１Ｃについては、主として、第１実施形態のおむつ１と異なる点について説明し、同様の点は、説明を省略する。特に説明しない点については、上述したおむつ１についての説明が適宜適用される。
【００４２】
おむつ１Ｃは、腹側部Ａ、股下部Ｃ及び背側部Ｂに亘って連続する外装体１０Ｄと、該外装体１０Ｄの肌当接面側に固定された吸収性本体６とからなり、腹側部Ａにおける外装体１０Ｄの両側縁部Ａ１，Ａ１と、背側部Ｂにおける外装体１０Ｄの両側縁部Ｂ１，Ｂ１とが接合されて、ウエスト開口部及び一対のレッグ開口部を有するパンツ型の形状とされている。
【００４３】
おむつ１Ｃは、第１実施形態のおむつ１における弾性伸縮部Ｇ１〜Ｇ４と同様の構成を有する弾性伸縮部Ｇ１〜Ｇ４を有しており、そのため、おむつ１と同様の作用効果が奏される。
【００４４】
更におむつ１Ｃは、一対のレッグ開口部それぞれの周囲に、腹側部Ａ寄りに形成された第１レッグ弾性伸縮部Ｇ５，Ｇ５と、背側部Ｂ寄りに形成された第２レッグ弾性伸縮部Ｇ６，Ｇ６とを有している。
第１及び第２レッグ弾性伸縮部Ｇ５，Ｇ５、Ｇ６，Ｇ６それぞれは、外装体１０Ｄを構成する外層シート１１及び内層シート１２（２枚のシート材）と、両シート１１，１２間に配された複数本のレッグ弾性部材２１，２２とを有し、該各レッグ弾性部材２１，２２は、着用物品の幅方向（図中Ｙ方向）に沿って配されている。
【００４５】
第１レッグ弾性伸縮部Ｇ５，Ｇ５における、外層シート１１と内層シート１２との間は、レッグ弾性部材２１の配向方向（図中Ｙ方向）及びその直交方向（図中Ｘ方向）の両方向に対して傾斜した複数本のレッグ接合線２３において互いに接合されており、それらのレッグ接合線２３は、図９に示すように、それぞれ、股下部Ｃの最小幅部分Ｃ１側から腹側部Ａに近づくに従って、おむつ１Ｃ（着用物品）の長手方向中央線ＣＬから離れるように傾斜している。レッグ接合線２３は、それぞれ、複数本のレッグ弾性部材２１に跨るように連続的に形成されている。レッグ接合部２３における２枚のシート（外層シート及び内層シート）の接合方法としては、熱融着が好ましいが、接着剤による接合、熱融着と接着剤の併用等が挙げられる。
【００４６】
また、第２レッグ弾性伸縮部Ｇ６，Ｇ６における、外層シート１１と内層シート１２との間は、レッグ弾性部材２２の配向方向（図中Ｙ方向）及びその直交方向（図中Ｘ方向）の両方向に対して傾斜した複数本のレッグ接合線２４において互いに接合されているが、それらのレッグ接合線２４は、図９に示すように、それぞれ、股下部Ｃの最小幅部分Ｃ１側から背側部Ｂに近づくに従って、おむつ１Ｃ（着用物品）の長手方向中央線ＣＬから離れるように傾斜している。レッグ接合線２４は、それぞれ、複数本のレッグ弾性部材２２に跨るように連続的に形成されている。レッグ接合部２３における２枚のシート（外層シート及び内層シート）の接合方法としては、熱融着が好ましいが、接着剤による接合、熱融着と接着剤の併用等が挙げられる。
【００４７】
本実施形態のおむつ１Ｃによれば、第１及び第２レッグ弾性伸縮部Ｇ５，Ｇ５、Ｇ６，Ｇ６それぞれに、レッグ弾性部材２１，２２の配向方向と非平行にレッグ接合部２３，２４が形成されており、収縮の際に、レッグ弾性部材２１，２２の配向方向とは異なる方向の変形を生じさせることができるため、レッグ開口部の周囲が、脚まわり周囲に沿って変形することが可能となる。
そのため、おむつ１Ｃは、レッグ開口部周囲の弾性部材が直線的な配置であっても脚まわりの装着性に優れている。
【００４８】
尚、第４実施形態における、第１及び第２レッグ弾性伸縮部Ｇ５、Ｇ５、Ｇ６、Ｇ６の接合線の傾斜の向きとした場合には、レッグ開口部の周囲が、脚まわり周囲に沿ってウエスト開口部側に向かって変形し、ハイレグタイプの外観となる。他方、第４実施形態における、第１及び第２レッグ弾性伸縮部Ｇ５、Ｇ５、Ｇ６、Ｇ６を、第１〜第４弾性伸縮部Ｇ１〜Ｇ４（図９参照）と同様の向きとした場合には、脚まわり周囲に沿って股下側に向かって変形し、股間部を広く覆う外観となる。
【００４９】
このような効果を得るため、例えば、ハイレグタイプの外観とする場合は、第１レッグ弾性伸縮部Ｇ５，Ｇ５におけるレッグ接合線２３は、おむつ１Ｃ（着用物品）の長手方向中央線ＣＬに対する傾斜角度θ３（図９参照）が、１０°〜８０°、特に３０°〜６０°であることが好ましく、第２レッグ弾性伸縮部Ｇ６，Ｇ６におけるレッグ接合線２３は、該長手方向中央線ＣＬに対する傾斜角度θ４（図９参照）が、１０°〜８０°、特に３０°〜６０°であることが好ましい。他方、股間部を広く覆う外観とする場合は、傾斜角度θ３が、１００°〜１７０°、特に１２０°〜１５０°であることが好ましく、傾斜角度θ４（図９参照）が、１００°〜１７０°、特に１２０°〜１５０°であることが好ましい。
【００５０】
上述した各実施形態のおむつにおける外装体１０Ａ〜１０Ｄを構成する２枚のシート材（外層シート及び内層シート）の形成材料としては、不織布、織布、これらの複合シート、これらと樹脂フィルム等と複合シート等が挙げられる。好ましくは、単層の不織布又は２層以上の積層不織布であり、不織布としては各種製法による不織布を特に制限なく用いることができる。また、弾性部材１３，２１，２２の形成材料としては、使い捨ておむつや生理用ナプキン等の吸収性物品に用いられる各種公知の弾性材料を特に制限なく用いることができる。弾性材料の素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００５１】
以上、本発明をその好ましい実施形態に基づき説明したが、本発明は上述した実施形態に制限されない。
例えば、第３実施形態のおむつ１Ｂにおいては、腹側部Ａの弾性伸縮部Ｇ１、Ｇ２の接合線が、ウエスト開口部側の端部１５より股下部Ｃ側の端部１４がおむつ１Ｂの長手方向中央線ＣＬの近くに位置するように傾斜し、背側部Ｂの弾性伸縮部Ｇ３、Ｇ４における接合線が、股下部Ｃ側の端部１４よりウエスト開口部側の端部１５が、おむつ１Ｂの長手方向中央線ＣＬの近くに位置するように傾斜していたが、これとは逆に、腹側部Ａの弾性伸縮部Ｇ１、Ｇ２の接合線を、股下部Ｃ側の端部１４よりウエスト開口部側の端部１５が、おむつ１Ｂの長手方向中央線ＣＬの近くに位置するように傾斜させ、背側部Ｂの弾性伸縮部Ｇ３、Ｇ４における接合線を、ウエスト開口部側の端部１５より股下部Ｃ側の端部１４がおむつ１Ｂの長手方向中央線ＣＬの近くに位置するように傾斜させることもできる。
この場合、弾性伸縮部Ｇ１〜Ｇ４の収縮によって、腹側部Ａの幅方向中央部を上方に、背側部Ｂの幅方向中央部を下方に移動させる力が働くため、おむつ１Ｂの両側部の装着位置は変わらずに、吸収性本体６を腹側寄りに装着することができる。そのため、腹側へのモレを機にする状況で使用する場合には、優れたモレ性能や装着時の安心感が得られる。
【００５２】
また、第４実施形態のおむつ１Ｃにおける弾性伸縮部Ｇ１〜Ｇ４を、第２又は第３実施形態の弾性伸縮部Ｇ１〜Ｇ４と同様の構成とすることもできる。また、第１実施形態のおむつ１における一対の内側固定部１７，１７間に、非機能化させた状態の弾性部材を存在させるのに代えて、一対の内側固定部１７，１７間に、弾性部材が全く存在しないようにすることもできる。また、吸収性本体６の長手方向両側部の立体防漏カフス５,５は省略することもできる。また、防漏シート３は、吸収体４と重なる部分の、外層シート１１と内層シート１２との間に配することもできる。
また、腹側部Ａ及び背側部Ｂそれぞれの両側部に、おむつに幅方向に沿って配する弾性部材の本数は、左右両側のものを纏めて一本と数えたときに、例えば、例えば５〜３０本とすることができる。
【００５３】
本発明のパンツ側着用物品は、パンツ型使い捨ておむつに代えて、ショーツ型の生理用ナプキン等の他のパンツ型吸収性物品であっても良いし、吸収体を有しない、生理用ショーツや使い捨てタイプの下着等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００５４】
【図１】図１は、本発明の第１実施形態のパンツ型使い捨ておむつ（伸長状態）を示す斜視図である。
【図２】図２は、図１に示すおむつの展開且つ伸長状態をおむつ外面側から見た展開平面図である。
【図３】図３は、図２のＩＩＩ−ＩＩＩ線断面図である。
【図４】図４は、図１に示すおむつの弾性伸縮部の弾性部材の配向方向に沿う断面図であり、（ａ）は、弾性伸縮部の伸長状態、（ｂ）は、弾性伸縮部の収縮状態を示す図である。
【図５】図５は、弾性伸縮部が収縮して生じる、弾性部材の配向方向と異なる方向の変形を説明する模式図で、（ａ）は、弾性伸縮部の伸長状態、（ｂ）は、弾性伸縮部の収縮状態を示す図である。
【図６】図６は、本発明の第２実施形態のパンツ型使い捨ておむつ（伸長状態）を示す斜視図である。
【図７】図７は、図６に示すおむつを展開且つ伸長状態をおむつ外面側から見た展開平面図である。
【図８】図８は、本発明の第３実施形態のパンツ型使い捨ておむつを、おむつの両側部で仮想的に切断し、展開且つ伸長状態として示す展開平面図である。
【図９】図９は、本発明の第４実施形態のパンツ型使い捨ておむつの展開且つ伸長状態をおむつ内面側から見た展開平面図である。
【図１０】図１０は、着用者の腸骨稜から上前腸骨棘にかけての部位Ｒ１を示す人体透視図である。
【図１１】図１１は、接合線を複数の接合部から構成する場合の好ましい接合部の配置を示す弾性伸縮部の拡大平面図である。
【符号の説明】
【００５５】
１  パンツ型使い捨ておむつ（パンツ型着用物品）
２  表面シート
３  防漏シート
４  吸収体
５  立体防漏カフス
６  吸収性本体
７  ウエスト開口部
８  レッグ開口部
１０Ａ  腹側外装体
１０Ｂ  背側外装体
１０Ｃ  腹背連続外装体
１０Ｄ  腹側部、股下部及び背側部に亘って連続する外装体
１１  外層シート
１２  内層シート
Ｇ１〜Ｇ４  弾性伸縮部
Ｌ１〜Ｌ１４  接合線
１３  弾性部材
１７  内側固定部
１８  外側固定部
Ｇ５  第１レッグ弾性伸縮部
２１  レッグ弾性部材
２３  レッグ接合線
Ｇ６  第２レッグ弾性伸縮部
２２  レッグ弾性部材
２４  レッグ接合線
Ａ  腹側部
Ｂ  背側部
Ｃ  股下部
Ｆ１  第１領域
Ｆ２  第２領域
Ｆ３  第３領域
【図１】
0005065881.tif 000002
【図２】
0005065881.tif 000003
【図３】
0005065881.tif 000004
【図４】
0005065881.tif 000005
【図５】
0005065881.tif 000006
【図６】
0005065881.tif 000007
【図７】
0005065881.tif 000008
【図８】
0005065881.tif 000009
【図９】
0005065881.tif 000010
【図１０】
0005065881.tif 000011
【図１１】
0005065881.tif 000012